(57)【要約】      （修正有）【課題】コースターを使用することなく、冷たい飲料水を充填しながら結露水によるテーブルの汚れを解消したキャップを有する飲料容器を提供する。【解決手段】カップに脱着自在にセットされるキャップを備え、カップは上端が底面よりも大きく、キャップはカップの上端部を内側に挿入する周壁３を蓋部の外周縁に連結する形状に真空成形され、蓋部の内面は外周部に外周平面部５を設けて、その内側にカップを載せる載せ部６を設けて、ここに複数のリフト凸条７を放射状に設けており、キャップがカップの上端部にセットされてカップの開口部を閉塞し、キャップを上下反転して、載せ部６の上にカップを載せて、リフト凸条７でキャップの底面から浮かせて空気の断熱層を設ける。【選択図】図５
0003190358.tif 000002
【実用新案登録請求の範囲】
【請求項１】
上端を開口してなる飲料水を充填するカップ(1)と、このカップ(1)の上端開口部に脱着自在にセットされて、上端開口を閉塞するキャップ(2)とを備え、
前記カップ(1)が上端開口に向かって内形を大きくするテーパー状であって、上端開口を底面よりも大きくしており、
前記キャップ(2)が、前記カップ(1)の上端開口を内側に挿入する周壁(3)と、この周壁(3)を外周縁に連結してなる蓋部(4)とを有し、
前記キャップ(2)が、プラスチックシートが真空成形されて、前記周壁(3)と前記蓋部(4)とを一体的に成形しており、
さらに、前記キャップ(2)は、前記カップ(1)の上端縁に接触する外周平面部(5)を蓋部(4)の内面であってその外周部に設けており、さらに、この外周平面部(5)の内側であって、前記カップ(1)の底面外周縁を載せる載せ部(6)に、上方に突出する複数のリフト凸条(7)を放射状に設けており、
前記キャップ(2)が前記カップ(1)の上端開口部にセットされる状態で、外周部の内面に設けている外周平面部(5)を前記カップ(1)の上端開口縁に密着して、カップ(1)を閉塞し、
前記キャップ(2)が上下反転して内面を上面とする姿勢で、前記キャップ(2)の載せ部(6)の上に前記カップ(1)の底面が載せられて、前記カップ(1)を前記リフト凸条(7)で前記キャップ(2)の底面から浮かせる状態として、前記リフト凸条(7)でもって前記カップ(1)の底面に断熱層を設けるようにしてなるキャップを有する飲料容器。
【請求項２】
請求項１に記載されるキャップを有する飲料容器であって、
前記載せ部(6)と前記外周平面部(5)との間にリング状の外側凸条(8)を設けてなるキャップを有する飲料容器。
【請求項３】
請求項１又は２に記載されるキャップを有する飲料容器であって、
前記キャップ(2)が、前記載せ部(6)の内側に内側平面部(9)を設けて、この内側平面部(9)と前記載せ部(6)との間に、リング状の内側凸条(10)を設けて、この内側平面部(9)にストローを挿通できるスリット(11)を設けてなるキャップを有する飲料容器。
【請求項４】
請求項１ないし３のいずれかに記載されるキャップを有する飲料容器であって、
前記カップ(1)が紙製で、前記カップ(1)と前記キャップ(2)とが使い捨てのカップとキャップであるキャップを有する飲料容器。
【考案の詳細な説明】
【技術分野】
【０００１】
本考案は、飲料水を充填するカップの上端開口部に、脱着できるようにキャップを被着してなる飲料容器に関し、とくに冷たい飲料水を充填するカップに最適な飲料容器に関する。
【背景技術】
【０００２】
コーヒー等の飲料水を充填するカップは、上端開口部にキャップをセットして、衛生的に使用でき、また、飲料水の漏れを防止できる。このことを実現するキャップを有する飲料水容器は開発されている。（特許文献１参照）
【先行技術文献】
【特許文献】
【０００３】
【特許文献１】特開２００６−３０６４９０号公報
【考案の概要】
【考案が解決しようとする課題】
【０００４】
キャップを有する飲料容器は、キャップで開口部を塞いで衛生的に使用できるが、これに冷たい飲料水を充填すると、カップの表面が冷たい飲料水で冷却され、冷却されたカップが表面に接触する空気を冷却して過飽和な状態とし、空気中の水分がカップの表面に結露して付着される。結露水はカップの表面に沿って流れ落ち、テーブルなどを水で汚す弊害がある。この弊害は、コルクなどの断熱特性のあるコースターを使用して解消できる。ただ、冷たい飲料水を入れたカップを使用するときに、カップとキャップとは別にコースターを用意する必要があり、コースターのない場所ではテーブルを汚さないように使用できない欠点があった。
【０００５】
本考案は、この欠点を解決することを目的に開発されたものである。本考案の重要な目的は、コースターを使用することなく、冷たい飲料水を充填しながら結露水によるテーブルの汚れを解消できるキャップを有する飲料容器を提供することにある。
【課題を解決するための手段及び効果】
【０００６】
本考案の請求項１の飲料容器は、上端を開口してなる飲料水を充填するカップ１と、このカップ１の上端開口部に脱着自在にセットされて、上端開口を閉塞するキャップ２とを備える。カップ１は上端開口に向かって内形を大きくするテーパー状であって、上端開口を底面よりも大きくしている。キャップ２は、カップ１の上端開口を内側に挿入する周壁３と、この周壁３を外周縁に連結してなる蓋部４とを有する形状にプラスチックシートを真空成形して、周壁３と蓋部４とを一体的に成形している。キャップ２は、カップ１の上端縁に接触する外周平面部５を蓋部４の内面であってその外周部に設けている。この外周平面部５の内側であって、カップ１の底面外周縁を載せる載せ部６に、上方に突出する複数のリフト凸条７を放射状に設けている。キャップ２はカップ１の上端開口部にセットされる状態で、外周部の内面に設けている外周平面部５をカップ１の上端開口縁に密着させてカップ１を閉塞する。キャップ２が上下反転して内面を上面とする姿勢で、キャップ２の載せ部６の上にカップ１の底面が載せられて、カップ１をリフト凸条７でキャップ２の底面から浮かせる状態として、リフト凸条７でもってカップ１の底面に空気の断熱層を設ける。
【０００７】
以上のキャップを有する飲料容器は、コースターを使用することなく、冷たい飲料水を充填しながら結露水によるテーブルの汚れを解消できる特徴がある。それは、キャップ２を上下反転して、カップ１の下に敷いてコースターに併用しながら、キャップ２に放射状に設けた複数のリフト凸条７でもってカップ１の底面に断熱層を設けることができるからである。カップ１の下に敷いたキャップ２は、カップ１表面の結露水がテーブルに流れるのを防止する。また、キャップ２に設けたリフト凸条７で空気層を設けて、カップ１の底面に空気の断熱層を設けることで、カップ１からキャップ２への熱伝導を少なくして、キャップ２がカップ１で冷却されるのを防止する。このため、キャップ２を薄いプラスチックシートとしながら、キャップ２が冷却されて表面に結露水が付着するのを防止できる。したがって、キャップ２をコルク製のコースターと同等の断熱特性として、結露水によるテーブルの汚れを防止できる特徴がある。
【０００８】
さらに、以上のキャップを有する飲料容器は、キャップ２でカップ１の上端開口部を隙間なく閉塞しながら、結露水によるテーブルの汚れを防止できる特徴がある。それは、以上のキャップを有する飲料容器が、キャップ２の外周部の内面に、カップ１の上端開口縁に密着する外周平面部５を設けて、この外周平面部５の内側に、カップ１の底面外周縁を載せる載せ部６を設けて、この載せ部６には、上方に突出する複数のリフト凸条７を放射状に設けているからである。このキャップを有する飲料容器は、キャップ２をカップ１の上端開口部にセットされる状態では、外周部の内面に設けている外周平面部５をカップ１の上端開口縁に密着してカップ１を確実に閉塞し、キャップ２を上下反転して載せ部６の上にカップ１の底面を載せる状態では、放射状のリフト凸条７でキャップ２の底面から浮かせて、リフト凸条７でもってカップ１の底面に空気の断熱層を設けるからである。
【０００９】
本考案の請求項２の飲料容器は、載せ部６と外周平面部５との間に、リング状の外側凸条８を設けている。この飲料容器は、キャップ２をコースターとして使用するときに、外側凸条８の内側にカップ１の底面を載せることで、正確な位置にカップ１を載せることができ、放射状のリフト凸条７でカップ１の下に空気の断熱層を設けて、結露水によるテーブルの汚れを防止できる。
【００１０】
本考案の請求項３の飲料容器のキャップ２は、載せ部６の内側に内側平面部９を設けて、この内側平面部９と載せ部６との間に、リング状の内側凸条１０を設けて、この内側平面部９にストローを挿通できるスリット１１を設けている。この飲料容器は、ストロー（図示せず）を挿通するスリット１１を設けながら、このスリット１１から結露水がテーブルに漏れて汚すのを防止できる。カップ１に沿って載せ部６に流れ落ちる結露水を、内側凸条１０でスリット１１に流れるのを阻止するからである。
【００１１】
本考案の請求項４の飲料容器は、カップ１を紙製として、カップ１とキャップ２とを使い捨てとする。この飲料容器は、使い捨てのカップ１とキャップ２とすることで使用場所を選ばず、しかも別にコースターを用意することなく、テーブルの汚れを防止できる。
【図面の簡単な説明】
【００１２】
【図１】本考案のキャップを有する飲料容器の使用状態を示す正面図である。
【図２】本考案のキャップを有する飲料容器の他の使用状態を示す正面図である。
【図３】図１と図２に示すキャップの斜視図である。
【図４】図１と図２に示すキャップの平面図である。
【図５】図１と図２に示すキャップの使用状態を示す拡大断面図である。
【考案を実施するための形態】
【００１３】
以下、本考案の実施例を図面に基づいて説明する。ただし、以下に示す実施例は、本考案の技術思想を具体化するための飲料容器を例示するものであって、本考案は飲料容器を以下の材質や形状には特定しない。
【００１４】
さらに、この明細書は、実用新案登録請求の範囲を理解しやすいように、実施例に示される部材に対応する番号を、「実用新案登録請求の範囲」および「課題を解決するための手段の欄」に示される部材に付記している。ただ、実用新案登録請求の範囲に示される部材を、実施例の部材に特定するものでは決してない。
【００１５】
図１と図２に示す飲料容器は、コーヒー、紅茶、ジュースなどの飲料水を充填し、とくに冷却した飲料水の充填に最適であって、使い捨て容器として使用される。この飲料容器は、上端を開口しているカップ１と、このカップ１の上端開口部に脱着自在にセットされて、上端開口を閉塞するキャップ２とを備える。
【００１６】
カップ１は紙製で、上端の開口部に向かって内形を大きくするテーパー状であって、上端の開口面積を底面積よりも大きくしている。図のカップ１は、水平断面形状を円形とし、円錐状の筒部の底面を底プレート１２で水密構造に閉塞している。底プレート１２は筒部の下端縁よりも上方に固定される。このカップ１は、筒部を底プレート１２から下方に突出させて、底の外周縁に突出筒１３を設けている。さらに、カップ１は、上端開口縁を外側にカールするように湾曲加工してリング状の鍔を設けている。
【００１７】
図３ないし図５に示すキャップ２は、例えば厚さを０．２ｍｍとする熱可塑性樹脂のプラスチックシートを真空成形して製作される。ただ、キャップ２は、厚さを０．１ｍｍ〜０．３５ｍｍとするプラスチックシートを真空成形して製作することもできる。このキャップ２は、カップ１の上端開口を内側に挿入する周壁３と、この周壁３を外周縁に連結してなる蓋部４とを有し、周壁３と蓋部４とが一体構造となるように一体的に成形している。
【００１８】
周壁３は、カップ１の上端開口縁の外形に内形を等しくして、カップ１の上端を挿入する状態で、カップ１に外れないように連結される。周壁３は開口縁部に、開口端縁に向かって拡開する拡開部１４を設け、この拡開部１４と蓋部４との間に設けた挟着部には、上下方向に延びる複数のクッション凸条１５を所定のピッチで設けている。この周壁３は、カップ１の上端開口部をスムーズに挿入できる。また、カップ１に挿入されるキャップ２を、外す必要のないときに簡単に外れないようにセットできる。開口縁に向かって大きくなる周壁３の拡開部１４にカップ１の上端開口縁をスムーズに案内でき、さらに、クッション凸条１５を設けた挟着部が弾性変形して、挿入されるカップ１の上端開口縁に密着するからである。
【００１９】
全体の形状を平面状とするキャップ２の蓋部４は、カップ１の上端縁に隙間なく接触する外周平面部５を内面の外周部にリング状に設けている。さらに、外周平面部５の内側には、カップ１底の突出筒１３を載せる載せ部６をリング状に設けて、この載せ部６には、上方に突出する複数のリフト凸条７を放射状に設けている。
【００２０】
さらに、蓋部４は、載せ部６の内側に内側平面部９を設けている。この蓋部４は、その内面に、外周部には外周平面部５を、その内側には載せ部６を、さらに載せ部６の内側には内側平面部９を設けて、内面には、外側から内側に向かって順番に、外周平面部５、載せ部６、内側平面部９を三重のリング状に設けている。
【００２１】
蓋部４は、外周平面部５と載せ部６との間に、リング状に連続する外側凸条８を設けている。外側凸条８は蓋部４の内面に突出するように設けられる。さらに、蓋部４は、載せ部６と内側平面部９との間に、リング状に連続する内側凸条１０を内面に突出するように設けている。リング状に設けている外側凸条８の直径はカップ１の上端開口部の直径よりも小さくて、カップ１底の突出筒１３の直径よりも大きい。外側凸条８の外側に設けている外周平面部５に、カップ１の上端開口を外周平面部５に配置し、外側凸条８の内側に設けている載せ部６に、カップ１底面の突出筒１３を載せるためである。外側凸条８を設けたキャップ２は、コースターとして使用する状態で、カップ１底の突出筒１３をその内側に配置するマークとなる。したがって、ユーザーは外側凸条８の内側にカップ１を正確に載せることができる。
【００２２】
内側凸条１０はカップ１底の突出筒１３の直径よりも小さく、カップ１の突出筒１３は内側凸条１０の外側に配置される載せ部６に載せられる。カップ１の突出筒１３を載せる放射状のリフト凸条７は、内側凸条１０と外側凸条８との間にあって、半径方向に延びるように設けられる。
【００２３】
図５はキャップ２をコースターとして使用して、キャップ２の蓋部４の内面にカップ１の突出筒１３を載せる状態を示している。この図に示すキャップ２は、外側凸条８を、周壁３よりも低く、内側凸条１０よりも高くしている。内側凸条１０よりも高い外側凸条８は、その内側にカップ１の底を確実に案内して載せることができる。内側凸条１０は、リフト凸条７と同じ高さとされ、あるいはリフト凸条７よりも低くされる。
【００２４】
蓋部４は、内側凸条１０の内側に設けている内側平面部９に、ストローを挿入するために十字状のスリット１１を設けている。
【００２５】
以上の飲料容器は、図１に示すように、キャップ２をカップ１の上端開口部にセットする状態では、外周部の内面に設けている外周平面部５をカップ１の上端開口縁に密着して、カップ１を閉塞する。この状態で、ストロー（図示せず）をスリット１１に挿入して、飲料水を飲むことができる。
【００２６】
テーブルに載せるときは、図５の断面図に示すように、キャップ２を上下反転して内面を上面とする姿勢とし、キャップ２の載せ部６の上にカップ１底の突出筒１３を載せて、カップ１をリフト凸条７でキャップ２の底面から浮かせる状態とし、このリフト凸条７でカップ１の底面に断熱層を設ける。
【産業上の利用可能性】
【００２７】
本考案の飲料容器は、キャップをカップの開口部にセットして開口部を閉塞し、テーブルで使用するときは、キャップをコースターに併用して、キャップの上にカップを載せて使用することで、コースターを使用することなく、結露水によるテーブルの汚れを防止して使用する。
【符号の説明】
【００２８】
１…カップ
２…キャップ
３…周壁
４…蓋部
５…外周平面部
６…載せ部
７…リフト凸条
８…外側凸条
９…内側平面部
１０…内側凸条
１１…スリット
１２…底プレート
１３…突出筒
１４…拡開部
１５…クッション凸条
【図１】
0003190358.tif 000003
【図２】
0003190358.tif 000004
【図３】
0003190358.tif 000005
【図４】
0003190358.tif 000006
【図５】
0003190358.tif 000007